(57)【要約】      （修正有）【課題】節電キーが押下されて省電力状態に移行した後、人感センサのユーザ検知による省電力状態からの不要な復帰を防止する。【解決手段】画像処理装置の電源制御部は、第二の人感センサによる物体の検知に応じて、省電力モードから通常電力モードに移行させる。ただし、節電キーの押下により省電力モードに移行した場合には（Ｓ１１→Ｓ１２→Ｓ１４）、人感センサが非検知になるまで、人感センサ復帰判定部が、第二の人感センサによる物体の検知に応じた通常電力モードへの移行を制限する（Ｓ１５→Ｓ１６→Ｓ１８）。【選択図】図６
2015005930.tif 000002
【特許請求の範囲】
【請求項１】
少なくとも第一の電力状態と、前記第一の電力状態より消費電力の少ない第二の電力状態を切り替えて動作可能な画像処理装置であって、
前記第一の電力状態から前記第二の電力状態への移行指示を受け付ける指示手段と、
物体を検知する検知手段と、
前記検知手段による物体の検知に応じて、前記第二の電力状態から前記第一の電力状態に移行させるように、前記画像処理装置の電力状態を制御する電力制御手段と、
を備え、
前記電力制御手段は、前記指示手段による移行指示に応じて、前記第一の電力状態から前記第二の電力状態に移行させるとともに、前記検知手段が物体を検知しなくなるまで、前記検知手段による物体の検知に応じた前記第一の電力状態への移行を制限することを特徴とする画像処理装置。
【請求項２】
前記検知手段は、第一の検知手段と、前記第一の検知手段より検知範囲の狭い第二の検知手段とを有し、
前記電力制御手段は、前記第一の検知手段による物体の検知に応じて、前記第二の電力状態より消費電力の少ない第三の電力状態から前記第二の電力状態へ移行させ、前記第二の検知手段による物体の検知に応じて、前記第二の電力状態から前記第一の電力状態に移行させるものであり、
さらに、前記電力制御手段は、前記指示手段による移行指示に応じて、前記第一の電力状態から前記第二の電力状態または前記第三の電力状態に移行させるとともに、前記第一の検知手段または前記第二の検知手段が物体を検知しなくなるまで、前記第二の検知手段による物体の検知に応じた前記第一の電力状態への移行を制限することを特徴とする請求項１に記載の画像処理装置。
【請求項３】
前記検知手段は、第一の検知手段と、前記第一の検知手段より検知範囲の狭い第二の検知手段とを有し、
前記電力制御手段は、前記第一の検知手段による物体の検知に応じて、前記第二の電力状態より消費電力の少ない第三の電力状態から前記第二の電力状態へ移行させ、前記第二の検知手段による物体の検知に応じて、前記第二の電力状態から前記第一の電力状態に移行させるものであり、
さらに、前記電力制御手段は、前記指示手段による移行指示に応じて、前記第一の電力状態から前記第二の電力状態または前記第三の電力状態に移行させるとともに、前記第一の検知手段および前記第二の検知手段が物体を検知しなくなるまで、前記第二の検知手段による物体の検知に応じた前記第一の電力状態への移行を制限することを特徴とする請求項１に記載の画像処理装置。
【請求項４】
前記第一の検知手段は、前記第三の電力状態で給電され、
前記第二の検知手段は、前記第三の電力状態では給電されず、前記第二の電力状態に移行した場合に給電されることを特徴とする請求項２又は３に記載の画像処理装置。
【請求項５】
前記検知手段は、検知している物体の数を認識可能なものであり、
前記電力制御手段は、前記制限を行っている間でも、前記検知手段により新たな物体が検知された場合には前記第一の電力状態へ移行させることを特徴とした請求項１の画像処理装置。
【請求項６】
前記電力制御手段は、前記第一の電力状態への移行後にジョブが投入されることなく、前記指示手段により第二の電力状態への移行が指示された場合に、前記制限を行うことを特徴とする請求項１乃至５のいずれか１項に記載の画像処理装置。
【請求項７】
少なくとも第一の電力状態と、前記第一の電力状態より消費電力の少ない第二の電力状態を切り替えて動作可能な画像処理装置の制御方法であって、
電力制御手段が、物体を検知する検知手段による物体の検知に応じて、前記第二の電力状態から前記第一の電力状態に移行させるように、前記画像処理装置の電力状態を制御する復帰ステップと、
前記電力制御手段が、前記第一の電力状態から前記第二の電力状態への移行指示を受け付ける指示手段による移行指示に応じて、前記第一の電力状態から前記第二の電力状態に移行させるとともに、前記検知手段が物体を検知しなくなるまで、前記検知手段による物体の検知に応じた前記第一の電力状態への移行を制限する制限ステップと、
を有することを特徴とする画像処理装置の制御方法。
【請求項８】
コンピュータを、請求項１乃至６のいずれか１項に記載された電力制御手段として機能させるためのプログラム。
【発明の詳細な説明】
【技術分野】
【０００１】
本発明は、人体検知技術を用いた画像処理装置の電力モード切り替え制御に関する。
【背景技術】
【０００２】
従来の画像処理装置においては、複数の電力モードを持ち、電力モードに応じて装置内の電源を切断する省電力モードがサポートされている。しかし、省電力モードから通常の電力モードへの復帰に時間が掛かってしまい、利便性を低下させてしまう場合がある。
【０００３】
この問題を解決するために、従来の省電力モードからの復帰に人感センサを用い、人が装置に近づいてきたと判定した場合に、省電力モードから復帰するものがある（特許文献１参照）。
【０００４】
また、ユーザの操作によって押下される節電キーが設けられた画像処理装置が知られている（特許文献２参照）。この節電キーがユーザにより押下されると、画像処理装置は、省電力モードに移行する。
【先行技術文献】
【特許文献】
【０００５】
【特許文献１】特開２０１２−５８６４５号公報
【特許文献２】特開２００２−２２９３９５号公報
【発明の概要】
【発明が解決しようとする課題】
【０００６】
しかしながら、上記特許文献１および特許文献２に記載の技術において、人感センサが人を検知している状態で、節電キーを押下されて画像処理装置が省電力モードへの移行指示を受ける場合がある。この場合、節電キーの押下により画像処理装置は省電力モードへ移行するが、画像処理装置の前にいるユーザ（節電キーを押下したユーザ）が人感センサによって検知されてしまう。このため、節電キーを押下したにも関わらず、画像処理装置が通常電力モードに復帰してしまい、省電力を実現できないという問題点があった。
【０００７】
本発明は、上記の問題点を解決するためになされたものである。本発明は、節電キーが押下された後の人感センサの検知による省電力状態からの不要な復帰を防止する仕組みを提供することを目的とする。
【課題を解決するための手段】
【０００８】
本発明は、少なくとも第一の電力状態と、前記第一の電力状態より消費電力の少ない第二の電力状態を切り替えて動作可能な画像処理装置であって、前記第一の電力状態から前記第二の電力状態への移行指示を受け付ける指示手段と、物体を検知する検知手段と、前記検知手段による物体の検知に応じて、前記第二の電力状態から前記第一の電力状態に移行させるように、前記画像処理装置の電力状態を制御する電力制御手段と、を備え、前記電力制御手段は、前記指示手段による移行指示に応じて、前記第一の電力状態から前記第二の電力状態に移行するとともに、前記検知手段が物体を検知しなくなるまで、前記検知手段による物体の検知に応じた前記第一の電力状態への移行を制限することを特徴とする。
【発明の効果】
【０００９】
本発明によれば、節電キーが押下された後の人感センサの検知による省電力状態からの不要な復帰を防止することができる。
【図面の簡単な説明】
【００１０】
【図１】本発明の電子機器の実施例１を示す画像処理装置の構成を例示する図。
【図２】第一の人感センサおよび第二の人感センサの検知範囲を例示する図。
【図３】実施例１の画像処理装置のハードウェア構成を例示する図。
【図４】実施例１の画像処理装置の電源給電形態を例示する図。
【図５】実施例１の人感センサ復帰判定部の構成を例示する図。
【図６】実施例１の電力モード移行動作を例示するフローチャート。
【図７】実施例２の画像処理装置の電源給電形態を例示する図。
【図８】実施例２の人感センサ復帰判定部の構成を例示する図。
【図９】実施例２の電力モード移行動作を例示するフローチャート。
【図１０】実施例３の画像処理装置の構成を例示する図。
【図１１】人感センサアレイの検知範囲を例示する図。
【図１２】人感センサアレイの反応を例示する図。
【図１３】実施例３の画像処理装置のハードウェア構成を例示する図。
【図１４】実施例３の画像処理装置の電源給電形態を例示する図。
【図１５】実施例３の人感センサアレイ判定部の構成を例示する図。
【図１６】実施例３の電力モード移行動作を例示するフローチャート。
【発明を実施するための形態】
【００１１】
以下、本発明を実施するための形態について図面を用いて説明する。
【実施例１】
【００１２】
図１は、本発明の電子機器の実施例１を示す画像処理装置の構成の一例を示す図である。なお、図１（Ａ）は画像処理装置を正面から見た図に対応し、図１（Ｂ）は画像処理装置を上面から見た図に対応する。
【００１３】
１００は、本発明の電子機器としての画像処理装置である。画像処理装置１００は、操作部１０１、スキャナ１０２、胴内フィニッシャ１０３、給紙カセット１０４などを有し、コピー、プリント、ＦＡＸ、スキャンなどの機能を持つ。
【００１４】
画像処理装置１００は、通常電力モード、通常電力モードよりも消費電力が小さい第二の省電力モード、第二の省電力モードよりも消費電力が小さい第一の省電力モードのいずれかに切り替えて動作することが出来る。なお、通常電力モード、第一の省電力モード、第二の省電力モードにおける画像処理装置１００の電力状態を、それぞれ、第一の電力状態、第二の電力状態、第三の電力状態という。画像処理装置１００は、少なくとも第一の電力状態と、前記第二の電力状態を切り替えて動作可能な画像処理装置である。
【００１５】
また、画像処理装置１００は、第一の省電力モードで動作する第一の人感センサ２３０と、第二の省電力モードで動作する第二の人感センサ２３１を有する。第一の人感センサ２３０、第二の人感センサ２３１は、焦電センサや反射センサなど、離れた場所にある物体を検知するセンサを用いる。
【００１６】
なお、第一の人感センサ２３０は、画像処理装置１００に近づいてきた人を広範囲に検知する第一の検知部であり、例えば焦電センサで構成されており、人体等の物体を検知可能である。また、第二の人感センサ２３１は、画像処理装置１００に近づいてきた人を第一の人感センサ２３０より狭い範囲で検知する第二の検知部であり、例えば反射センサで構成されており、人体等の物体を検知可能である。第一の人感センサ２３０および第二の人感センサ２３１の検知範囲の一例を図２に示す。
【００１７】
図２は、第一の人感センサ２３０および第二の人感センサ２３１の検知範囲の一例を示す図である。なお、図２（Ａ）は画像処理装置１００を正面から見た図に対応し、図２（Ｂ）は画像処理装置１００を上面から見た図に対応する。
図２（Ａ），（Ｂ）において、１１１は、第一の人感センサ２３０の検知範囲を示す。１１２は、第二の人感センサ２３１の検知範囲を示す。
【００１８】
図３（Ａ）は、実施例１の画像処理装置１００のハードウェア構成の一例を示すブロック図である。
情報処理装置２２６は、ＬＡＮ Ｉ／Ｆ２１７を介してＬＡＮ２２４に接続され、ＦＡＸ２２５を介して電話回線２２３に接続される。
【００１９】
ＣＰＵ２０４は、情報処理装置２２６の全体を制御するソフトウェアプログラムを実行する。ＲＡＭ２０６は、ＣＰＵ２０４が装置を制御する際の一時的なデータの格納などに使用される。ＲＯＭ２０５は、ＣＰＵ２０４が実行するプログラム、例えば装置の起動プログラムや、各種設定値等が格納されている。ストレージ２０７は、ＨＤＤやＳＳＤ等の記憶装置であり、様々なデータ格納に使用される。
【００２０】
操作部Ｉ／Ｆ２０９は、ＣＰＵ２０４から操作部の制御を行う。操作部２１３は、操作用液晶パネルや節電キー２１４を含むハードキーを備え、ユーザから入力される指示を受け付ける。
【００２１】
スキャナＩ／Ｆ２１０は、ＣＰＵ２０４からスキャナ２１５の制御を行う。スキャナ２１５は原稿台またはＡＤＦ(Auto Document Feeder)に設置された原稿の画像を読み取り、画像を生成する。プリンタＩ／Ｆ２１１はＣＰＵ２０４からプリンタの制御を行う。プリンタ２１６は、画像データに基づく画像を紙に印刷する。
【００２２】
ＦＡＸ Ｉ／Ｆ２０８は、ＣＰＵ２０４からＦＡＸ２２５の制御を行う。ＦＡＸ２２５はモデム２１８、ＣＰＵ２１９、ＲＡＭ２２１、ＲＯＭ２２０、受信検知部２２２で構成される。画像処理装置１００は、ＦＡＸ２２５を介して、電話回線２２３に接続される外部装置とのデータ通信制御を行う。モデム２１８は、ＦＡＸ２２５の送受信のための変調を行う。ＣＰＵ２１９は、ＦＡＸ Ｉ／Ｆ２０８を介して情報処理装置２２６と連携してＦＡＸ２２５の送受信の制御を行う。ＲＡＭ２２１は、ＣＰＵ２１９が装置を制御する際に一時的なデータ格納などに使用する。ＲＯＭ２２０は、ＦＡＸ２２５装置の起動プログラムや各種設定値等が格納されている。ＦＡＸ２２５のＣＰＵ２１９とＲＡＭ２２１，ＲＯＭ２２０の機能を、情報処理装置２２６内に備えていてもよい。
【００２３】
ＬＡＮコントローラ２１２は、ＣＰＵ２０４からＬＡＮ Ｉ／Ｆ２１７の制御を行う。画像処理装置１００は、ＬＡＮ Ｉ／Ｆ２１７を介して、ネットワーク２２４に接続される外部装置とのデータ通信制御を行う。
【００２４】
電源制御部２０３は、電源部２０２から必要な箇所に電源を供給する制御を行う電力制御機能を有する。通常電力モードでは、図３（Ａ）に示したように全てのブロックに電源が供給されている。この際、必要な機能にのみ給電するような形態を取っても良いが、ここでは明記しない。
【００２５】
第一の省電力モードでは、図３（Ｂ）に示したように一部のブロックに電源が給電されている。図３（Ｂ）ではグレー表示されている箇所には電源が供給されていない。
【００２６】
以下、第一の省電力モードでの電源供給状態について説明する。
まず、電源２０１から電源部２０２に電源が供給される。電源部２０２から電源供給されるブロックは、ＲＡＭ２０６、第一の人感センサ２３０、人感センサ復帰判定部２８１、ＦＡＸ Ｉ／Ｆ２０８、受信検知部２２２、節電キー２１４、操作部ＩＦ２０９、ＬＡＮコントローラ２１２、ＬＡＮ Ｉ／Ｆ２１７である。ＲＡＭ２０６は、必要に応じて電源を供給し、全てに供給する必要はない。操作部２１３への給電は、節電キー２１４のみであることを記載したが、ユーザのタッチを認識する機能など他の電力状態への移行条件に応じて電源を給電しても良い。
【００２７】
次に、第一の省電力モードから通常電力モードへの移行条件について説明する。
受信検知部２２２がＦＡＸ受信を検知した場合には、受信検知部２２２から電源制御部２０３へＦＡＸ Ｉ／Ｆ２０８を経由して移行命令を送信し、通常電力モードへ移行する。ＬＡＮ Ｉ／Ｆ２１７より印刷ジョブなど通常電力モードへの移行が必要なジョブをＬＡＮコントローラ２１２が受信した場合には、ＬＡＮコントローラ２１２から電源制御部２０３へ移行命令を送信し、通常電力モードへ移行する。
【００２８】
ユーザから節電キー２１４が押されたと検知した場合に、操作部Ｉ／Ｆ２０９を経由して電源制御部２０３へ移行命令を送信し、通常電力モードへ移行する。操作部２１３は、節電キー２１４のみに電源供給される場合を記載しているが、ユーザのタッチを認識して割り込みを電源制御部２０３に送信する構成を取っても良い。ここまでで述べた通常電力モードへの移行条件は、本発明に係る詳細なフローや第二の省電力モードでの説明を省略するが、フローの途中で移行命令を電源制御部２０３が受信した場合には通常電力モードへ移行することは言うまでもない。
【００２９】
次に、第一の省電力モードから第二の省電力モードへの移行条件について説明する。
第一の人感センサ２３０が、人が近づいてきたことを検知した場合には、第一の人感センサ２３０から電源制御部２０３へ第二の省電力モードへの移行命令を送信し、第二の省電力モードへ移行する。第二の省電力モードでは、図３（Ｃ）に示したように一部のブロックに電源が給電されている。図３（Ｃ）ではグレー表示されている箇所には電源が供給されていない。
【００３０】
次に、第二の省電力モードと第一の省電力モードの差分について説明する。
第二の省電力モードでは、第二の人感センサ２３１に給電を行う。第一の人感センサ２３０が人を検知している間は第二の省電力モードを継続する。第一の人感センサ２３０が人を検知できない場合には、電源制御部２０３へ第一の省電力モードへの移行命令を送信し、第一の省電力モードへ移行する。第二の人感センサ２３１が人の接近を検知した場合には、人感センサ復帰判定部２８１を介して、電源制御部２０３へ通常電力モードへの移行命令を送信し、通常電力モードへ移行する。なお、詳細は後述するが、人感センサ復帰判定部２８１は、所定の条件で、第二の人感センサ２３１から電源制御部２０３への信号（上述の通常電力モードへの移行命令）を制限する。
【００３１】
以下、人感センサを用いた電力モード移行に関して、図４を用いて詳細に説明する。
図４は、実施例１の画像処理装置１００の電源給電形態の一例を示す図である。
電源２０１より入力された電源は、スイッチ（以下ＳＷ）３１０、ＳＷ３１２に接続される。ＳＷ３１０は、電源制御部２０３またはユーザが手動でオンすることが出来るシーソスイッチやボタンスイッチなどで構成される。
【００３２】
ＳＷ３１０がオンされた場合には、自動で電源制御部２０３からＳＷ３１１へオン命令５１２、ＳＷ３１２へオン命令５１３を送信して、通常電力モードへ移行してもよい。ＳＷ３１０がオンすることで給電される第一電源部３００は、第一の省電力モードで動作するブロックに電源供給する。なお、図４では、ＦＡＸ Ｉ／Ｆ２０８、操作部Ｉ／Ｆ２０９は、省略しているが、これらも第一電源部３００から給電される。
【００３３】
ＳＷ３１１がオンされた場合、第一電源部３００を用いて第二電源部３０１が給電される。第二電源部３０１は、第二の省電力モードで動作するブロックに電源供給する。第一の省電力モードから第二の省電力モードへ移行する条件は、第一の人感センサ２３０が人を検知した場合である。なお、ＳＷ３１１、ＳＷ３１２は、ＦＥＴやリレースイッチ等によって実現することができる。
【００３４】
第一の人感センサ２３０は、人を検知した時、電源制御部２０３へＳＷ３１１をオンにする依頼信号５１１を送信する。電源制御部２０３は、依頼信号５１１を受信すると、ＳＷ３１１へオン命令５１２を送信し、第二電源部３０１へ給電がされる。
【００３５】
次に通常電力モードへの移行条件について説明する。電源制御部２０３が、通常電力モードへ移行する必要のある依頼信号が一つでも受信した場合に、通常電力モードへ移行する。以下、上記通常モードへの依頼信号を夫々説明する。
【００３６】
ＬＡＮコントローラ２１２は、印刷ジョブなど通常電力モードへ移行する必要のある命令を受信した場合に、電源制御部２０３に依頼命令５０１を送信する。また、受信検知部２２２は、ＦＡＸの受信を検知した場合に、電源制御部２０３に依頼命令５０２を送信する。また、節電キー２１４がユーザに押された場合に、節電キー２１４が電源制御部２０３に依頼命令５０３を送信する。なお、節電キー２１４が押された場合には、節電キー２１４は、人感センサ復帰判定部２８１に、無効フラグ処理のための信号５３０を出力する。
【００３７】
電源制御部２０３は、上記いずれかの移行依頼信号を受信した場合、ＳＷ３１２へオン命令５１３を送信し、第三電源部３０２が給電される。第三電源部３０２は、通常電力モードで使用されるブロックに電源供給する。なお、図４では、スキャナＩ／Ｆ２１０、プリンタＩ／Ｆ２１１は、省略しているが、これらも第三電源部３０２から給電される。電源２０１から給電される電源は、第一電源部３００、第二電源部３０１、第三電源部３０２の三種類に分かれて供給される。
【００３８】
次に、第二の人感センサ２３１に基づく移行依頼信号５０４の出力に関して説明する。第二の人感センサ２３１は、人を検知した場合に、検知信号５３１を人感センサ復帰判定部２８１へ送信する。人感センサ復帰判定部２８１は、節電キー２１４を用いて省電力モードへの移行を指示した人が画像処理装置１００から離れたかどうかを判定し、第二の人感センサ２３１による省電力モードからの復帰制限を行う。
【００３９】
本実施例では、節電キー２１４から省電力モードへ移行指示がされ、且つ、人感センサ（例えば第一の人感センサ２３０）が人の検知を継続していた場合には、人感センサ復帰判定部２８１は、移行依頼信号５０４の出力を制限する。また、節電キー２１４以外で省電力モードへ移行した場合、又は節電キー２１４による省電力モード移行後に人感センサが非検知になった場合、人感センサ復帰判定部２８１は、移行依頼信号５０４の出力制限を解除する。なお、人感センサが人を検知しているか否かは、電源制御部２０３からの送信で判定するものとするが、人感センサから信号を人感センサ復帰判定部２８１へ送信して判定してもよい。
【００４０】
また、上記人感センサは、第一の人感センサ２３０としたが、人感センサ復帰判定部２８１の判定では、画像処理装置１００から節電キー２１４を用いて省電力モードの移行を指示した人が離れたことを判定できればよい。そのため、人感センサ復帰判定部２８１の判定では、第一の人感センサ２３０、第二の人感センサ２３１のどちらか、または両方の検知状態を判定基準としてもよい。以下、第一の人感センサ２３０が検知を継続している場合に、人感センサ復帰判定部２８１が移行依頼信号５０４を制限するものとして説明する。
【００４１】
以下、図５を用いて人感センサ復帰判定部２８１による移行依頼信号５０４の出力制限の詳細を説明する。
図５は、実施例１の人感センサ復帰判定部２８１の構成の一例を示す図である。
節電キー２１４が押されると、節電キー２１４から無効フラグ６００に信号５３０が出力される。信号５３０は、第二の人感センサ２３１に基づく通常電力モードへの移行依頼信号５０４の出力制限を行うために使用される。なお、節電キー２１４が押されると、節電キー２１４から省電力モード移行指示（不図示）が出力され、これを電源制御部２０３が受信すると、省電力モードへ移行する。
【００４２】
節電キー２１４からの省電力モード移行指示で省電力モードへ移行した場合、電源制御部２０３は、第一の人感センサ２３０が人を検知している間、移行依頼信号５０４を制限するように、無効フラグ６００へ信号５３２を出力し続ける。なお、信号５３２は、第一の人感センサ２３０の検知信号であってもよい。
【００４３】
無効フラグ６００は、デフォルトで、信号（以下、人感センサ無効フラグ）５９９を「１」にする。そして、節電キー２１４から信号５３０を受信すると、無効フラグ６００は、信号５３２の受信がなくなるまで、人感センサ無効フラグ５９９を「０」に保つ。さらに、信号５３２の受信がなくなると、無効フラグ６００は、人感センサ無効フラグ５９９を「１」に戻す。そして、再度、信号５３０を受信するまで人感センサ無効フラグ５９９を「１」に保つ。ロジック６０１は、人感センサ無効フラグ５９９が「１」の状態で、第二の人感センサ２３１から信号５３１を受信すると、第二の人感センサ２３１に基づく通常電力モードへの移行依頼信号５０４を、電源制御部２０３に出力する。
【００４４】
図６は、実施例１の画像処理装置における電力モード移行動作の一例を示すフローチャートである。
画像処理装置１００では、節電キー２１４が押下されると（Ｓ１１でＹｅｓの場合）、節電キー２１４から信号５３０が無効フラグ６００に出力され、無効フラグ６００が人感センサ無効フラグ５９９を「０」にする（Ｓ１２）。人感センサ無効フラグ５９９が「０」の場合には、人感センサ復帰判定部２８１から通常電力モードへの移行依頼信号５０４は制限される。また、節電キー２１４が押下されると、電源制御部２０３は、省電力モードへの移行処理を行う（Ｓ１４）。なお、移行する省電力モードは、第一の省電力モードでもよいし、第二の省電力モードでもよい。
【００４５】
また、節電キー２１４の押下ではなく（Ｓ１１でＮｏの場合）、節電キー２１４以外の省電力モード移行条件を満たした場合（Ｓ１３でＹｅｓの場合）も、電源制御部２０３は、省電力モードへの移行処理を行う（Ｓ１４）。なお、この場合、人感センサ無効フラグ５９９は「１」となっている。人感センサ無効フラグ５９９が「１」の場合には、人感センサ復帰判定部２８１から通常電力モードへの移行依頼信号５０４は制限されない。なお、上記節電キー２１４以外の省電力モード移行条件とは、例えば一定時間、画像処理装置１００が使用されなかった等である。
【００４６】
省電力モードへ移行した後、電源制御部２０３は、第一の人感センサ２３０が人を検知しているか否かを判定する（Ｓ４０）。そして、第一の人感センサ２３０が人を検知していると判定した場合（Ｓ４０でＹｅｓの場合）、Ｓ４１へ移行し、検知していない場合にはＳ４２へ移行する。
【００４７】
Ｓ４１では、電源制御部２０３は、その時の電力モードが第一の省電力モードであれば、第二の省電力モードへ移行し、第二の人感センサ２３１へ給電を行い、一方、その時の電力モードが第二の省電力モードであれば、電力状態を継続する。
【００４８】
Ｓ４２では、電源制御部２０３は、その時の電力モードが第二の省電力モードであれば、第一の省電力モードへ移行し、第二の人感センサ２３１への給電を停止し、一方、その時の電力モードが第一の省電力モードであれば電力状態を継続する。
【００４９】
人感センサ無効フラグ５９９が「１」の場合（Ｓ１５でＮｏの場合）、人感センサ復帰判定部２８１は、第二の人感センサ２３１からの検知信号５３１に応じて、移行依頼信号５０４を、電源制御部２０３に出力可能である。
【００５０】
人感センサ無効フラグ５９９が「０」の場合（Ｓ１５でＹｅｓ）、無効フラグ６００は、人感センサの検知状態に基づく電源制御部２０３からの信号５３２に応じて人感センサ無効フラグ５９９を変更制御する。なお、上記Ｓ１５に記載の人感センサは、節電キー２１４を押したユーザが画像処理装置１００から離れたか否かの判定に用いるため、第一の人感センサ２３０でもよいし、第二の人感センサ２３１でもよい。または、第一の人感センサ２３０と第二の人感センサ２３１の両方の判定に用いてもよい。
【００５１】
人感センサが検知状態の場合（Ｓ１６でＮｏの場合）、電源制御部２０３から信号５３２の出力が維持され、これにより、無効フラグ６００は、人感センサ無効フラグ５９９を「０」に維持する。人感センサ無効フラグ５９９が「０」の場合、人感センサ復帰判定部２８１は、第二の人感センサ２３１から検知信号５３１が入力されても、移行依頼信号５０４を電源制御部２０３に送信しない。
【００５２】
一方、人感センサが非検知になった場合（Ｓ１６でＹｅｓの場合）、電源制御部２０３から信号５３２の出力が停止され、これにより、無効フラグ６００は、人感センサ無効フラグ５９９を「１」に変更する（Ｓ１７）。
【００５３】
人感センサ無効フラグ５９９が「１」の場合（Ｓ１５でＮｏ）、無効フラグ６００は、人感センサ（ここでは第一の人感センサ２３０）の検知状態に基づく電源制御部２０３からの信号５３２に関係なく人感センサ無効フラグ５９９を「１」に維持する。人感センサ無効フラグ５９９が「１」の場合、人感センサ復帰判定部２８１は、第二の人感センサ２３１から検知信号５３１が入力されると、移行依頼信号５０４を電源制御部２０３に送信する。
【００５４】
電源制御部２０３は、依頼信号５１１、５０１、５０２、５０３又は５０４を受信しない場合、通常電力モード移行条件を満たしていないと判定し（Ｓ１８でＮｏ）、再び、第一の人感センサ２３０による検知を判定する（Ｓ４０）。
【００５５】
一方、依頼信号５１１、５０１、５０２、５０３又は５０４を受信した場合、電源制御部２０３は、通常電力モード移行条件を満たしたと判定し（Ｓ１８でＹｅｓ）、通常電力モードへの移行を行う（Ｓ１９）。
【００５６】
なお、人感センサ無効フラグ５９９が「０」の場合、人感センサ復帰判定部２８１より通常電力モードへの移行依頼信号５０４が出力されないため、第二の人感センサ２３１が人を検知した場合でも、通常電力モード移行条件を満さない。一方、人感センサ無効フラグ５９９が「１」の場合、通常電力モードへの移行依頼信号５０４の出力は制限されないため、第二の人感センサ２３１が人を検知した場合には、通常電力モード移行条件を満される。
【００５７】
以上のように、節電キー２１４を押されて、省電力モードへの移行された場合、節電キー２１４を押したユーザが画像処理装置１００から離れるまで、人感センサによる省電力モードから通常電力モードへの移行を制限することができる。よって、節電キーが押下された後の人感センサの検知による省電力状態からの不要な復帰を防止することができる。その結果、ユーザの利便性の向上を図りつつ、不要な電力消費の低減と寿命のある装置部品の延命をすることが可能となる。
【００５８】
なお、上記の説明では、人感センサ復帰判定部２８１が移行依頼信号５０４の出力を制限して、第二の人感センサ２３１の検知による通常電力モードへの復帰を制限する構成を示した。しかし、人感センサ復帰判定部２８１を設けず、電源制御部２０３が直接、第二の人感センサ２３１の検知による通常電力モードへの復帰を制限する構成としてもよい。この場合、第二の人感センサ２３１の検知信号５３１を直接、電源制御部２０３に入力するようにする。そして、節電キー２１４が押下され、且つ、人感センサ（例えば第一の人感センサ２３０）の検知がある場合、電源制御部２０３は、検知信号５３１が電源制御部２０３に入力されても、電源制御部２０３で無視するように構成する。以下、図６のフローチャートを用いて説明する。この場合、図６に示す各処理は、電源制御部２０３内の不図示の記憶装置に記憶されたプログラムを電源制御部２０３が読み出して実行することにより実現されるものである。
【００５９】
Ｓ１１において、電源制御部２０３は、節電キー２１４が押されたか否かを判定する。そして、節電キー２１４が押下されたと判定した場合（Ｓ１１でＹｅｓの場合）、電源制御部２０３は、Ｓ１２へ移行する。Ｓ１２では、電源制御部２０３は、人感センサ無効フラグを「０」にし、Ｓ１４へ移行する。このフラグは、電源制御部２０３内の不図示の記憶部に記憶されるものであり、デフォルトで「１」となっている。
【００６０】
一方、上記Ｓ１１において、節電キー２１４が押されていないと判定した場合（Ｓ１１でＮｏの場合）、電源制御部２０３は、Ｓ１３へ移行する。Ｓ１３では、電源制御部２０３は、省電力モードへの移行条件を満たすか否かを判定する。なお、省電力モードへの移行条件の判定自体はＣＰＵ２０４が行い、ＣＰＵ２０４から省電力モードへの移行指示を受けると、電源制御部２０３は、省電力モードへの移行条件を満たしたと判断する。
【００６１】
上記Ｓ１３において、省電力モードへの移行条件を満たしていないと判定した場合（Ｓ１３でＮｏの場合）、電源制御部２０３は、Ｓ１１に移行する。一方、省電力モードへの移行条件を満たしたと判定した場合（Ｓ１３でＹｅｓの場合）、電源制御部２０３は、Ｓ１４に移行する。
【００６２】
Ｓ１４では、電源制御部２０３は、電力モードを省電力モードへ移行する処理を行い、Ｓ４０に移行する。この省電力モードは第一の省電力モードでも良いし、第二の省電力モードでも良い。
【００６３】
Ｓ４０では、電源制御部２０３は、第一の人感センサ２３０が人を検知しているか否かを判定する。第一の人感センサ２３０が人を検知している場合には、Ｓ４１へ移行し、検知していない場合には、Ｓ４２へ移行する。
【００６４】
Ｓ４１では、電源制御部２０３は、その時の電力モードが第一の省電力モードであれば、第二の省電力モードへ移行し、第二の人感センサ２３１へ給電を行い、一方、第二の省電力モードであれば、電力状態を継続して、Ｓ１５へ移行する。
【００６５】
Ｓ４２では、電源制御部２０３は、その時の電力モードが第二の省電力モードであれば、第一の省電力モードへ移行し、第二の人感センサ２３１への給電を停止し、一方、第一の省電力モードであれば電力状態を継続して、Ｓ１５へ移行する。
【００６６】
Ｓ１５では、電源制御部２０３は、人感センサ無効フラグが「０」か否かを判定する。そして、人感センサ無効フラグが「０」と判定した場合（Ｓ１５でＹｅｓの場合）、Ｓ１６へ移行し、人感センサ無効フラグが「１」と判定した場合（Ｓ１５でＮｏの場合）、Ｓ１８へ移行する。
【００６７】
Ｓ１６では、電源制御部２０３は、人感センサ（例えば第一の人感センサ２３０）が非検知になったか否かを判定する。そして、人感センサが人を非検知と判定した場合（Ｓ１６でＹｅｓの場合）、電源制御部２０３は、節電キーを押下したユーザが離れたと判断し、人感センサ無効フラグを「１」にし（Ｓ１７）、Ｓ４０へ移行する。一方、Ｓ１６において、人感センサが人を検知した状態と判定した場合（Ｓ１６でＮｏの場合）、電源制御部２０３は、Ｓ１８へ移行する。
【００６８】
Ｓ１８では、電源制御部２０３は、通常電力モード移行条件を満たしたかどうかを判定する。電源制御部２０３は、人感センサ無効フラグが「１」の場合、信号５３１、５１１、５０１、５０２、又は５０３を受信した場合、通常電力モード移行条件を満たしたと判定移行する。一方、人感センサ無効フラグが「０」の場合、電源制御部２０３は、信号５１１、５０１、５０２、又は５０３を受信した場合、通常電力モード移行条件を満たしたと判定する。しかし、この場合、電源制御部２０３は、信号５３１を受信した場合、通常電力モード移行条件を満たしていないと判定する。即ち、人感センサ無効フラグが「１」の場合、第二の人感センサ２３１での検知に基づく通常電力モードへの移行を制限する。
【００６９】
そして、電源制御部２０３は、通常電力モード移行条件を満たしていないと判定した場合（Ｓ１８でＮｏの場合）、Ｓ４０に移行する。一方、通常電力モード移行条件を満たしたと判定した場合（Ｓ１８でＹｅｓの場合）、電源制御部２０３は、通常電力モードへの移行を行う（Ｓ１９）。
【００７０】
また、節電キー２１４から省電力モードへ移行指示がされ、且つ第一の人感センサ２３０が人の検知を継続していた場合、第２の人感センサ２３１の電力供給を停止し、第二の人感センサ２３１の検知による通常電力モードへの復帰を制限するようにしてもよい。
【実施例２】
【００７１】
実施例２については、実施例１との差異の概要を説明する。実施例１では、節電キー２１４を押したユーザが離れたことを画像処理装置１００が検知して、不要な通常電力モードへの移行を制限するものである。実施例２では、通常電力モードへ移行してからジョブが無い場合、誤検知による通常電力モードからの復帰であると判定し、節電キー２１４を押したユーザが画像処理装置１００から離れるまで、通常電力モードへの移行を制限するものである。
【００７２】
以下、実施例１との差異を説明する。
センサを用いた電力モード移行に関して図７を用いて、図４との差異を説明する。
図７は、実施例２の画像処理装置１００の電源給電形態の一例を示す図である。
実施例２では、通常電力モードに移行後にジョブが行われた場合、ＣＰＵ２０４より人感センサ復帰判定部２８１へ信号５３３を送信する。信号５３３は、第二の人感センサ２３１の人検知に基づく移行依頼信号５０４の出力を有効にするために用いられる。
【００７３】
図８は、実施例２の人感センサ復帰判定部２８１の構成の一例を示す図である。
通常電力モードに移行後にジョブがなく、節電キー２１４が押された場合、ＣＰＵ２０４から無効フラグ６００に信号５３３が出力される。無効フラグ６００は、信号５３３を受信すると、無効フラグ６００内の不図示の記憶部に記憶されるジョブフラグを「１」に変更する。なお、ジョブフラグはデフォルトでは「０」となっている。ジョブフラグが「０」の場合、無効フラグ６００は、節電キー２１４から信号５３０を受信すると、信号５３２の受信がなくなるまで、人感センサ無効フラグ５９９を「０」に保つ。一方、ジョブフラグが「１」の場合、無効フラグ６００は、節電キー２１４から信号５３０を受信しても、人感センサ無効フラグ５９９を「１」に保つ。その他の構成は、図５と同様のため省略する。
【００７４】
図９は、実施例２の画像処理装置における電力モード移行動作の一例を示すフローチャートである。
ＣＰＵ２０４は、通常電力モード移行（Ｓ２０）の後に、コピーやスキャンなどのジョブが行われた場合（Ｓ２１でＹｅｓの場合）、信号５３３を、無効フラグ６００に出力する。信号５３３を受信すると、無効フラグ６００は、ジョブフラグを「１」にする。一方、通常電力モード移行（Ｓ２０）の後に、コピーやスキャンなどのジョブが行われていない場合（Ｓ２１でＮｏの場合）、ＣＰＵ２０４は、信号５３３の出力は行わない。無効フラグ６００は、信号５３３を受信しない場合、ジョブフラグを「０」に保つ。
【００７５】
節電キー２１４が押下されると（Ｓ１１でＹｅｓの場合）、節電キー２１４から信号５３０が無効フラグ６００に出力される。無効フラグ６００は、信号５３０を受信し、ジョブフラグが「０」と判定した場合（Ｓ２４でＹｅｓの場合）、人感センサ無効フラグ５９９を「０」にする（Ｓ１２）。
【００７６】
一方、無効フラグ６００は、信号５３０を受信しても、ジョブフラグが「１」と判定した場合（Ｓ２４でＮｏの場合）、人感センサ無効フラグ５９９を「１」に保つ。以降の動作は、図６と同様であるので説明を省略する。
【００７７】
以上のように、通常電力モード移行後にジョブがあったか否かを判定基準に入れることで、誤検知で通常電力モードへ移行したか否かを判定し、電力モードの移行を制御することができ、不要な通常電力モードへの移行を制限することができる。よって、節電キーが押下された後の人感センサの検知による省電力状態からの不要な復帰を防止することができる。この結果、不要な電力消費の低減と寿命のある装置部品の延命が可能となる。
【００７８】
なお、上記の説明では、人感センサ復帰判定部２８１が移行依頼信号５０４の出力を制限して、第二の人感センサ２３１の検知による通常電力モードへの復帰を制限する構成を示した。しかし、人感センサ復帰判定部２８１を設けず、電源制御部２０３が直接、第二の人感センサ２３１の検知による通常電力モードへの復帰を制限する構成としてもよい。この場合についても、実施例１との相違点のみ説明する。この場合、ＣＰＵ２０４からの信号５３３を直接、電源制御部２０３に入力するようにし、電源制御部２０３内でジョブフラグを記憶するようにする。そして、電源制御部２０３は、節電キー２１４が押下され、ジョブフラグが「０」と判定した場合、検知信号５３１が電源制御部２０３に入力されても、電源制御部２０３で無視するように構成する。以下、図９のフローチャートを用いて説明する。この場合、図９に示す各処理は、電源制御部２０３内の不図示の記憶装置に記憶されたプログラムを電源制御部２０３が読み出して実行することにより実現されるものである。
【００７９】
電源制御部２０３は、ＣＰＵ２０４から信号５３３を受信した場合、通常電力モード移行（Ｓ２０）の後にコピーやスキャンなどのジョブが行われたと判断し（Ｓ２１でＹｅｓ）、ジョブフラグを「１」にし（Ｓ２２）、Ｓ１１に移行する。一方、通常電力モード移行（Ｓ２０）の後に、ＣＰＵ２０４から信号５３３を受信しない場合、電源制御部２０３は、通常電力モード移行（Ｓ２０）の後にコピーやスキャンなどのジョブが行われていないと判断する（Ｓ２１でＮｏ）。この場合、電源制御部２０３は、ジョブフラグを「０」に保ち（Ｓ２３）、Ｓ１１に移行する。
【００８０】
Ｓ１１では、電源制御部２０３は、節電キー２１４が押下されたと判定した場合（Ｓ１１でＹｅｓの場合）、Ｓ２４に移行する。Ｓ２４では、電源制御部２０３は、ジョブフラグが「０」か否かを判定する。そして、ジョブフラグが「０」と判定した場合（Ｓ２４でＹｅｓの場合）、電源制御部２０３は、人感センサ無効フラグを「０」にし、Ｓ１４へ移行する。一方、ジョブフラグが「０」でないと判定した場合（Ｓ２４でＮｏの場合）、電源制御部２０３は、人感センサ無効フラグを「１」に保ち、Ｓ１４へ移行する。以降の動作は、実施例１と同様であるので説明を省略する。
【実施例３】
【００８１】
本発明の実施例３については実施例１との差異の概要を説明する。実施例１では、人感センサを二つ使用し、電力モードの移行を行う場合の不要な通常電力モードへの移行を制限するものである。実施例３では、人感センサとして、赤外線センサがマトリクス状に配列された人感センサアレイを用いることで、一つの人感センサで不要な通常電力モードへの移行を制限するものである。以下、実施例１との差異を説明する。
【００８２】
図１０は、実施例３の画像処理装置の構成の一例を示す図である。なお、図１０（Ａ）は画像処理装置を正面から見た図に対応し、図１０（Ｂ）は画像処理装置を上面から見た図に対応する。
図１０に示すように、実施例３の画像処理装置は、人感センサアレイ２８０を有する。
【００８３】
図１１は、人感センサアレイ２８０の検知範囲１１５の一例を示す図である。
人感センサアレイ２８０は、省電力モードから通常電力モードへの移行のトリガとして用いられる。人感センサアレイ２８０は、赤外線センサがマトリクス状に配列されたものであり、センサ検知範囲を複数の領域に分け各領域毎に人体等の物体を検知可能なものである。人感センサアレイ２８０は、人が近づいてきたことを検知し、エリア内に入っているか否かだけではなく、人の動きの詳細を検知することができる。
【００８４】
なお、人感センサアレイ判定部２８２は、人感センサアレイ２８０で人を検知した領域の位置を領域位置情報として人感センサアレイ２８０から取得可能である。なお、人感センサアレイ２８０は、焦電センサや反射センサ等の赤外線センサを例えばＮ×Ｍアレイ状に並べたものである（本実施例では、例えば、焦電センサを８×８に並べたものを用いて説明するが、これに限定されるものではない）。また、焦電センサはパッシブ型の人感センサで、人体等の温度を持つもの（熱源）から自然に放射されている赤外線による温度変化を検知することで人体を検出するものである。なお、人感センサアレイ２８０を構成するセンサアレイは、焦電センサアレイに限定されるものではなく、他の種類の人感センサアレイであってもよい。人感センサアレイ２８０は、焦電センサや反射センサなどを複数並べて詳細に把握出来るものであれば、どのようなセンサアレイを用いても良い。
【００８５】
以下、熱源を元に人の動きを検知する人感センサアレイ２８０として焦電アレイセンサを用いて説明する。
図１２は、人感センサアレイ２８０の反応の一例を示す図である。
図１２（Ａ）では、人が近くにいない場合の人感センサアレイ２８０の反応を示す。人の熱源を人感センサアレイ２８０が検知していないため、全てのセンサが反応していない。
【００８６】
図１２（Ｂ）では、通常電力モードへ移行するトリガとなる条件の一例を示す。人感センサアレイ２８０の検知エリアの中央に熱源が発生したことを検知した場合に、画像処理装置１００を使用するために人が近づいてきたと判定し、通常電力モードへ移行させる。なお、誤動作を防ぐために、一定時間このエリアの反応が継続した場合に通常電力モードへ移行させてもよい。また、一定間隔で人感センサアレイ２８０のセンサ情報を吸い上げ、連続で複数回（２回以上）反応していた場合に通常電力モードへ移行させてもよい。ここでは、熱源が図１２（Ｂ）に示す範囲に反応があった場合に通常電力モードへ移行することとして説明する。なお、図１２（Ｃ）、図１２（Ｄ）については後述する。
【００８７】
図１３は、実施例３の画像処理装置１００のハードウェア構成の一例を示すブロック図である。以下、図３に示した実施例１との差異を説明する。
図３に示した実施例１では、第一の人感センサ２３０と第二の人感センサ２３１の二つの人感センサを持つ。また、不要な電力削減を目的として、第一の省電力モードと第二の省電力モードとして、それぞれの人感センサに対して給電する電力モードを切り替えている。一方、実施例３では、人感センサアレイ２８０を用いることで、省電力モードを一つとしている。人感センサアレイ２８０を用いて省電力モードから通常電力モードへ移行するのは、人感センサアレイ判定部２８２で所定の条件（図１２（Ｂ））を満たすと判定された場合とする。
【００８８】
なお、図１３（Ａ）では通常電力モードで給電されるブロックを示し、図１３（Ｂ）では省電力モードで給電されるブロックを示す。図１３（Ｂ）でグレー表示されている箇所には、省電力モードでは電源が供給されていない。
【００８９】
以下、センサを用いた電力モード移行に関して図１４を用いて、図４に示した実施例１との差異を説明する。
図１４は、実施例３の画像処理装置の電源給電形態の一例を示す図である。
実施例３では、人感センサアレイ判定部２８２が、通常電力モードへの移行依頼信号を出力するか否かを判定する。人感センサアレイ判定部２８２は、図１２（Ｂ）で示したような条件を満たすか否か判定する。また、人感センサアレイ２８０より人感センサアレイ判定部２８２に対して、信号５３１と信号５３４が出力される。なお、信号５３１、信号５３４は、人感センサアレイ２８０で熱源を検知した領域の位置を特定可能な信号であり、人感センサアレイ判定部２８２で移行依頼信号出力の判定に用いられる。
【００９０】
なお、図１５の例では、人感センサアレイ２８０は、第一の熱源を検知した場合に信号５３１を出力し、第二の熱源を検知した場合に信号５３４を出力する構成を示した。しかし、人感センサアレイ２８０は、熱源を検知した場合に信号５３１のみを人感センサアレイ判定部２８２に出力し、人感センサアレイ判定部２８２が、信号５３１が示す熱源の検知位置から、第二の熱源の検知を判定するように構成してもよい。
【００９１】
以下、図１５を用いて人感センサアレイ判定部２８２による移行依頼信号５０４の出力制限の詳細を説明する。
図１５は、実施例３の人感センサアレイ判定部２８２の構成の一例を示す図である。
人感センサアレイ２８０を用いることで、詳細にユーザの動きを検知することができる。図１２（Ｃ）のように複数の熱源があることを判定することも可能となる。
人感センサアレイ２８０が一つ目の熱源である熱源１を検知した場合には、条件判定回路６０３へ信号５３１を出力し、二つ目の熱源である熱源２を検知した場合には条件判定回路６０３へ信号５３４を出力する。
【００９２】
条件判定回路６０３は、信号５３１の状態から図１２（Ｂ）で示したような条件を基に移行依頼信号を出力するか否かを判定して、信号５３６をロジック６０１に出力する。また、条件判定回路６０３は、信号５３４の状態から図１２（Ｂ）で示したような条件を基に移行依頼信号を出力するか否かを判定し、信号５３７をロジック６０２へ出力する。
【００９３】
図１２（Ｄ）のように人感センサアレイ２８０が節電キー２１４を押したユーザを検知している間、無効フラグ６００により人感センサ無効フラグ５９９が「０」となり、信号５３６の出力制限が行われ、通常電力モードへの移行が制限される。また、図１２（Ｃ）のように節電キー２１４を押したユーザ熱源１に対して、通常電力モードへの移行制限を掛けつつ、異なるユーザ熱源２に対しては通常電力モードへの移行を有効にすることも可能となる。
【００９４】
節電キー２１４が押された場合に、節電キー２１４から無効フラグ６００へ信号５３０を送信し、人感センサアレイ２８０からの移行依頼信号５３６を無効にする。そして、人感センサアレイ２８０が非検知になった場合には、人感センサアレイ２８０から無効フラグ６００に信号５３５を出力し、人感センサアレイ２８０からの依頼信号５３６を有効にする。また、節電キー２１４を押したユーザ熱源を検知している間に、該熱源とは異なる熱源が発生した場合には、人感センサアレイ２８０から条件判定回路６０３へ信号５３４を出力する。そして、信号５３４による検知状態が移行条件を満たす場合、条件判定回路６０３は、ロジック６０２へ依頼信号５３７を出力し、通常電力モードへの移行依頼信号５０４を出力する。
【００９５】
図１６は、実施例３の画像処理装置における電力モード移行動作の一例を示すフローチャートである。
まず、Ｓ１１〜１４の処理は、図６と同一であるので説明を省略する。
人感センサ無効フラグ５９９が「０」の場合（Ｓ１５でＹｅｓ）、無効フラグ６００は、人感センサアレイ２８０からの検知信号５３５に応じて人感センサ無効フラグ５９９を変更制御する。
【００９６】
人感センサアレイ２８０が検知状態の場合（Ｓ１６でＮｏの場合）、人感センサアレイ２８０から信号５３５の出力が維持され、これにより、無効フラグ６００は、人感センサ無効フラグ５９９を「０」に維持する。人感センサ無効フラグ５９９が「０」の場合、人感センサアレイ判定部２８２は、人感センサアレイ２８０から検知信号５３１が入力されて所定の条件（例えば図１２（Ｂ））を満たしたとしても、移行依頼信号５０４を電源制御部２０３に送信しない。なお、図１２（Ｂ）のような条件の判定は、条件判定回路６０３が行う。
【００９７】
ただし、人感センサ無効フラグ５９９が「０」の場合あっても、人感センサアレイ判定部２８２は、人感センサアレイ２８０で別の人を検知した場合（Ｓ３０でＹｅｓ）、移行依頼信号５０４を送信する。なお、Ｓ３０に記載した別の人を検知した場合とは、図１２（Ｃ）に示したように、人感センサアレイ２８０が熱源１とは異なる熱源２（新たな物体）を検知し、図１２（Ｂ）のような条件を満たした場合に対応する。
【００９８】
また、人感センサアレイ２８０が非検知になった場合（Ｓ１６でＹｅｓの場合）、人感センサアレイ２８０から信号５３５の出力が停止され、これにより、無効フラグ６００は、人感センサ無効フラグ５９９を「１」に変更する（Ｓ１７）。
【００９９】
人感センサ無効フラグ５９９が「１」の場合（Ｓ１５でＮｏ）、無効フラグ６００は、人感センサアレイ２８０からの検知信号５３５に関係なく人感センサ無効フラグ５９９を「１」に維持する。人感センサ無効フラグ５９９が「１」の場合、人感センサ復帰判定部２８１は、人感センサアレイ２８０から検知信号５３１が入力されて所定の条件（例えば図１２（Ｂ））を満たすと、移行依頼信号５０４を電源制御部２０３に送信する。なお、図１２（Ｂ）のような条件の判定は、条件判定回路６０３が行う。
【０１００】
実施例３では、人感センサ無効フラグ５９９が「０」の場合、人感センサアレイ２８０で一つの熱源が検知されただけでは、人感センサアレイ判定部２８２より移行依頼信号５０４は出力されない。そのため、第二の人感センサ２３１が節電キー２１４を押下した人を検知した場合でも、通常電力モード移行条件を満さない。しかし、人感センサ無効フラグ５９９が「０」の場合であっても、人感センサアレイ２８０で二つ以上の熱源が検知された場合には、人感センサアレイ判定部２８２より移行依頼信号５０４が出力される。そのため、第二の人感センサ２３１が節電キー２１４を押下した人とは別の人を図１２（Ｂ）のような条件で検知した場合には、通常電力モード移行条件を満たされる。もちろん、人感センサ無効フラグ５９９が「１」の場合には、移行依頼信号５０４の出力は制限されないため、第二の人感センサ２３１が人を図１２（Ｂ）のような条件で検知した場合には、通常電力モード移行条件を満される。
【０１０１】
以上のように、人感センサアレイ２８０を用いることで、節電キー２１４を押したユーザに対しては通常電力モードへの移行を制限しつつ、異なるユーザに対しては通常電力モードへ移行を行うことができる。よって、節電キーが押下された後の人感センサの検知による省電力状態からの不要な復帰を防止することができる。この結果、ユーザの利便性の向上をより図ることができる。このように、人感センサアレイ２８０を用いて二つの人感センサを使用した場合と同様の効果を得ることができる。実施例３では、第一の省電力モードと第二の省電力モードの切換えも不要になる。
【０１０２】
なお、上記の説明では、人感センサアレイ判定部２８２が移行依頼信号５０４の出力を制限して、人感センサアレイ２８０の検知による通常電力モードへの復帰を制限する構成を示した。しかし、人感センサアレイ判定部２８２を設けず、電源制御部２０３が直接、人感センサアレイ２８０の検知による通常電力モードへの復帰を制限する構成としてもよい。この場合についても、実施例１との相違点のみ説明する。この場合、人感センサアレイ２８０からの信号５３１、５３４を直接、電源制御部２０３に入力するようにし、電源制御部２０３内で人感センサ無効フラグを記憶するようにする。そして、電源制御部２０３は、節電キー２１４が押下され、人感センサフラグが「０」と判定した場合、検知信号５３１が電源制御部２０３に入力されても、電源制御部２０３で無視する。一方、検知信号５３４が電源制御部２０３に入力されると、人感センサフラグが「０」であっても、電源制御部２０３は無視せず、図１２（Ｂ）のような条件を満たす場合、通常モードに復帰させるように構成する。以下、図１６のフローチャートを用いて説明する。この場合、図１６に示す各処理は、電源制御部２０３内の不図示の記憶装置に記憶されたプログラムを電源制御部２０３が読み出して実行することにより実現されるものである。
【０１０３】
Ｓ１５では、電源制御部２０３は、人感センサ無効フラグが「０」か否かを判定する。そして、人感センサ無効フラグが「０」と判定した場合（Ｓ１５でＹｅｓの場合）、Ｓ１６へ移行し、人感センサ無効フラグが「１」と判定した場合（Ｓ１５でＮｏの場合）、Ｓ１８へ移行する。
【０１０４】
Ｓ１６では、電源制御部２０３は、人感センサアレイ２８０が非検知になったか否かを判定する。そして、人感センサアレイ２８０が人を非検知と判定した場合（Ｓ１６でＹｅｓの場合）、電源制御部２０３は、節電キーを押下したユーザが離れたと判断し、人感センサ無効フラグを「１」にし（Ｓ１７）、Ｓ１５へ移行する。一方、Ｓ１６において、人感センサが人を検知した状態と判定した場合（Ｓ１６でＮｏの場合）、電源制御部２０３は、Ｓ３０へ移行する。
【０１０５】
Ｓ３０では、電源制御部２０３は、人感センサアレイ２８０が別の人（新たな物体）を検知したか否かを判定する。なお、Ｓ３０において、別の人を検知した場合とは、図１２（Ｃ）に示したように、人感センサアレイ２８０が熱源１とは異なる熱源２を検知し、図１２（Ｂ）のような条件を満たした場合に対応する。
【０１０６】
そして、上記Ｓ３０にて、人感センサアレイ２８０が別の人（新たな物体）を検知していないと判定した場合（Ｓ１６でＮｏの場合）、電源制御部２０３は、Ｓ１５へ移行する。一方、Ｓ３０において、人感センサが別の人（新たな物体）を検知したと判定した場合（Ｓ３０でＹｅｓの場合）、電源制御部２０３は、Ｓ１８へ移行する。
【０１０７】
Ｓ１８では、電源制御部２０３は、通常電力モード移行条件を満たしたかどうかを判定する。電源制御部２０３は、人感センサ無効フラグが「１」の場合、信号５３１、５１１、５０１、５０２、又は５０３を受信した場合、通常電力モード移行条件を満たしたと判定移行する。一方、人感センサ無効フラグが「０」の場合、電源制御部２０３は、信号５１１、５０１、５０２、又は５０３を受信した場合、通常電力モード移行条件を満たしたと判定する。しかし、この場合、電源制御部２０３は、信号５３１を受信した場合、通常電力モード移行条件を満たしていないと判定する。さらに、この場合、電源制御部２０３は、信号５３４を受信した場合、通常電力モード移行条件を満たしたと判定する。即ち、人感センサ無効フラグが「１」の場合、人感センサアレイ２８０での節電キーを押下したユーザの検知は無視するが他のユーザの検知は有効とし、通常電力モードへ移行するように制御する。
【０１０８】
なお、本実施例では、人感センサアレイを用いたが、検知している物体の数を認識可能な人感センサであれば、どのような人感センサであってもよい。即ち、節電キー２１４を押下したユーザとは別のユーザを検知したことを認識できる人感センサであればよい。
【０１０９】
また、実施例２と実施例３を組み合わせた構成でもよい。即ち、通常電力モードへ移行してから、ジョブが無い場合はジョブフラグを「０」にし、ジョブが有る場合はジョブフラグを「１」にする。そして、節電キー２１４が押下された際にジョブフラグが「０」のとき、人感センサ無効フラグ５９９を「０」にする構成を、実施例３に追加する。これにより、実施例３の構成に加え、通常電力モードへの移行後にジョブが投入されることなく、節電キー２１４により省電力モードへの移行が指示された場合に、通常電力モードへの移行を制限する構成を追加することができる。
【０１１０】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１１１】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１１２】
１００    画像処理装置
２０３    電源制御部
２３０    第一の人感センサ
２３１    第二の人感センサ
２８１    人感センサ復帰判定部
【図１】
2015005930.tif 000003
【図２】
2015005930.tif 000004
【図４】
2015005930.tif 000005
【図５】
2015005930.tif 000006
【図６】
2015005930.tif 000007
【図７】
2015005930.tif 000008
【図８】
2015005930.tif 000009
【図９】
2015005930.tif 000010
【図１０】
2015005930.tif 000011
【図１１】
2015005930.tif 000012
【図１２】
2015005930.tif 000013
【図１４】
2015005930.tif 000014
【図１５】
2015005930.tif 000015
【図１６】
2015005930.tif 000016
【図３】
2015005930.tif 000017
【図１３】
2015005930.tif 000018